(57)【特許請求の範囲】
【請求項１】
周囲を枠体に囲まれた矩形板状の枠付き太陽電池モジュールを水平に多数段に積み重ねて梱包する際に、太陽電池モジュールの四隅の外側に直立するように複数が上下に積み重ねられて積層柱を形成し、それぞれが各太陽電池モジュールの隅部を載せ受けるコーナー支持部材であって、合成樹脂で一体成形され、
水平に配置される前記太陽電池モジュールの枠体の外隅角部に当接するように互いに直交して接合する２つの垂直な外側規制面と、
この外側規制面の下部から内側へ水平に延出し前記枠体の下面を載せ受ける荷重受け部と、
この荷重受け部の内側端縁から起立し前記枠体の内隅角部に当接する内側規制部と、
前記荷重受け部に載せ受けられた枠体の上縁部にスナップ係合する弾性係合片と、
前記外側規制面の上端から外方へ水平に延び上方に配置される他の同形コーナー支持部材の底面を載せ受ける水平段部と、
この水平段部の外縁に沿って前記外側規制面と平行に垂直に起立し、上端面が外方下がりの傾斜面に形成される嵌合片と、
下方に配置される他の同形コーナー支持部材の嵌合片を外嵌めできるように、前記嵌合片の下方位置に形成され、前記嵌合片と同一断面形状で、嵌合片の傾斜面に対応する外方下がりの上端傾斜面を有する嵌合凹部とを具備することを特徴とする太陽電池モジュールの梱包用コーナー支持部材。
【請求項２】
前記弾性係合片は、前記荷重受け部の高さ位置から前記外側規制面に沿って前記太陽電池モジュールの枠体の高さを超える高さ位置まで起立する脚部と、この脚部の上端に形成される顎部とを具備し、
前記弾性係合片の顎部は、上端が前記外側規制面より外側位置にあり、下端が外側規制面より内側位置ある内方下がりの傾斜摺動面を有し、
それによって、前記荷重受け部上に太陽電池モジュールを載せ受ける過程で、枠体の外側下縁部が、前記弾性係合片の傾斜摺動面に対して摺動しつつ、弾性係合片の脚部を外側へ撓ませ、枠体が顎部を通過すると、顎部が枠体の上部にスナップ係合することを特徴とする請求項１に記載の太陽電池モジュールの梱包用コーナー支持部材。  
【請求項３】
前記内側規制部は、前記荷重受け部上に太陽電池モジュールを載せ受ける過程で、枠体の内側下縁部に相対摺動して内側へ弾性的に撓む弾性舌片を具備することを特徴とする請求項１又は２に記載の太陽電池モジュールの梱包用コーナー支持部材。
【発明の詳細な説明】
【技術分野】
【０００１】
この発明は、矩形板状の枠付き太陽電池モジュールを、個々の太陽電池モジュールに荷重がかからないように、水平に多数積み重ねて梱包するためのコーナー支持部材に関する。
【背景技術】
【０００２】
例えば太陽電池モジュールについては、これを製造工場から設置現場まで搬送し、あるいは保管する際に、外力による損傷を受けることがないように保護しつつ、コンパクトに梱包することが求められている。
一方、設置現場においては、梱包材の処理に大きな労力を要することが問題となっており、また包装資材の使い捨てによる資源の浪費が指摘されている。
このような課題を解決するため、水平に積み重ねられる太陽電池モジュールを確実に保管するモジュール方式の差込みシステムが特許文献１に提案されている。このシステムにおいては、合成樹脂の一体成型により安価に製造できる小型で安定的な個別要素である成形品部材、すなわちコーナー支持部材を積み重ねて荷重除去柱を形成する。個々のコーナー支持部材の各々は、内側に光起電力モジュール用載置装置としての荷重受止め支持異形材と、上側又は下側に１つ又は複数のほぞ又はさねと、下側又は上側に、ほぞを精確なはまり合いで受入れる１つ又は複数の開いた空所又はさねを受入れる溝とを持っている。各コーナー支持部材が個々のモジュールの荷重を支持するから、高い積み重ね高さでも確定な輸送を保証し、一番下にあるモジュールの損傷の危険を除くことができる。ボール箱によるモジュールの個別包装を不要にし、包装費用を全体として必要な最小値に減少し、また個別コーナー支持部材はモジュール製造者へ送り返され、多数の流通で再び使用されることができるというものである。
【先行技術文献】
【特許文献】
【０００３】
【特許文献１】特開２００６−３２９７８号公報
【発明の概要】
【発明が解決しようとする課題】
【０００４】
太陽電池モジュールは、設置現場において、梱包を解いて、１つずつ取り出したり、必要数をまとめて取り出して、作業に好適な場所に移動させたりすることがある。上記従来の梱包装置においては、太陽電池モジュールを積層体から取り分ける際に、単一の場合はそのモジュールから、また複数の場合は、取り出したモジュール積層体の最下層のものから、コーナー支持部材が離れてしまう。この場合、取り分けた太陽電池モジュールを取り付け場所付近に仮置きするとき、再びコーナー支持部材を装着する必要がある。
コーナー支持部材を太陽電池モジュールに対して横方向に嵌合させる形式にすれば、太陽電池モジュールを積層体から取り出すときに、コーナー支持部材が太陽電池モジュールから離脱することがないが、この場合、太陽電池モジュールとコーナー支持部材とを上下方向に嵌合させることができないから、太陽電池モジュールの積み重ね作業と、太陽電池モジュールへのコーナー支持部材の装着作業とを同時に行うことができない。
したがって、この出願に係る発明は、太陽電池モジュールを積層体から取り出すときに、コーナー支持部材が太陽電池モジュールから離脱することがなく、しかも、太陽電池モジュールの積み重ね作業と、太陽電池モジュールへのコーナー支持部材の装着作業とを同時に行うことができるコーナー支持部材を提供することを目的としている。
【課題を解決するための手段】
【０００５】
以下、添付図面の符号を参照して説明するが、本発明はこれに限定されるものではない。
上記課題を解決するための、この出願に係る発明の太陽電池モジュールＰの梱包用コーナー支持部材１は、周囲を枠体４２に囲まれた矩形板状の枠付き太陽電池モジュールＰを水平に多数段に積み重ねて梱包する際に、個々の太陽電池モジュールＰの四隅を支持するもので、合成樹脂で一体成形される。コーナー支持部材１は、積層される太陽電池モジュールＰの四隅の外側に直立するように複数が上下に積み重ねられて積層柱２を形成し、それぞれが各太陽電池モジュールＰの隅部を載せ受ける。コーナー支持部材１は、外側規制面３、荷重受け部４、内側規制部５、水平段部６、嵌合片８、嵌合凹部９、弾性係合片１０を具備する。
外側規制面３は、水平に配置される太陽電池モジュールＰの枠体４２の外隅角部に当接するように、垂直な２面が互いに直交して接合する。荷重受け部４は、外側規制面３の下部から内側へ水平に延出し、枠体４２の下面を載せ受ける。内側規制部５は、荷重受け部４の内側端縁から起立し、枠体４２の内隅角部に当接する。弾性係合片１０は、荷重受け部４に載せ受けられた枠体４２の上縁部にスナップ係合する。水平段部６は、外側規制面３の上端から外方へ水平に延び、上方に配置される他の同形コーナー支持部材１の底面７を載せ受ける。嵌合片８は、水平段部６の外縁に沿って外側規制面３と平行に垂直に起立し、上端面８ａが外方下がりの傾斜面に形成される。嵌合凹部９は、下方に配置される他の同形コーナー支持部材１の嵌合片８を外嵌めできるように、嵌合片８の下方位置に形成され、嵌合片８と同一断面形状で、嵌合片８の上端傾斜面８ａに対応する外方下がりの上端傾斜面９ａを有する。
【発明の効果】
【０００６】
この出願に係る発明のコーナー支持部材１によれば、太陽電池モジュールＰを積層体から取り出すときに、コーナー支持部材１が太陽電池モジュールＰから離脱することがなく、しかも、太陽電池モジュールＰの積み重ね作業と、太陽電池モジュールＰへのコーナー支持部材１の装着作業とを同時に行うことができる。
【図面の簡単な説明】
【０００７】
【図１】本発明に係るコーナー支持部材の使用状態の断面図である。
【図２】図１のコーナー支持部材の平面図である。
【図３】図１のコーナー支持部材を上方から見た斜視図である。
【図４】図１のコーナー支持部材を上方別角度から見た斜視図である。
【図５】図１のコーナー支持部材を下方から見た斜視図である。
【図６】図１のコーナー支持部材を下方別角度から見た斜視図である。
【図７】本発明に係るコーナー支持部材を用いた太陽電池モジュールの積層状態の説明図である。
【発明を実施するための形態】
【０００８】
図面を参照してこの発明の実施の形態を説明する。
図１，７に示すように、太陽電池モジュールＰは、矩形板状の本体４１と、それの四囲を囲む枠体４２とを具備する。
【０００９】
太陽電池モジュールＰを梱包するための積層は、太陽電池モジュールＰの四隅に柱状に積み重ねられる複数のコーナー支持部材1を用いて行われる。
【００１０】
コーナー支持部材1は、合成樹脂で一体成形されるもので、太陽電池モジュールＰを水平に多数段に積み重ねて梱包する際に、太陽電池モジュールＰの四隅の外側に直立するように、複数が上下に積み重ねられて積層柱２を形成し、それぞれが各太陽電池モジュールＰの隅部を載せ受けて支持する。
【００１１】
図１ないし３に示すように、コーナー支持部材1は、水平に配置される太陽電池モジュールＰの枠体４２の外隅角部に当接するように互いに直交して接合する２つの垂直な外側規制面３を有する。
【００１２】
枠体４２の下面を載せ受ける板状の荷重受け部４が、外側規制面３の下端部から内側へ水平に延出する。
【００１３】
枠体４２の内隅角部に当接する内側規制部５が、外側規制面３と対向するように荷重受け部４の内側端縁から起立する。内側規制部５は、支持片５ａと弾性舌片５ｂとを具備する。支持片５ａは、外側規制面３と平行に、荷重受け部４から直角に起立する。弾性舌片５ｂは、支持片５ａの上縁部から、外側規制面３に向かって湾曲しつつ張り出すように下方へ延出し、下方の自由端は荷重受け部４の上面位置付近に至る。弾性舌片５ｂは、荷重受け部４上に太陽電池モジュールＰを載せ受ける過程で、枠体４２の内側下縁部４２ａに相対摺動して、内側へ弾性的に撓み、それによって、外側規制面３との間で枠体４２を保持する。
【００１４】
水平段部６が、外側規制面３の上端から外方へ水平に延びる。水平段部６は、上方に重ねて配置される他の同形のコーナー支持部材１の底面７を載せ受ける。
【００１５】
嵌合片８が、水平段部６の外縁に沿って、外側規制面３と平行に垂直に起立する。嵌合片８の上端面８ａ は、外方下がりの傾斜面に形成される。
【００１６】
嵌合凹部９が、嵌合片８の下方位置に形成される。嵌合凹部９は、下方に重ねて配置される他の同形コーナー支持部材１の嵌合片８を外嵌めできるように、嵌合片８と同一断面形状に形成され、嵌合片８の上端面８ａに対応する外方下がりの上端傾斜面９ａを有する。
【００１７】
弾性係合片１０が、外側規制面３に沿って起立する。弾性係合片１０は、脚部１０ａ と顎部１０ｂ とを具備する。脚部１０ａは、荷重受け部４の高さ位置から外側規制面３に沿って、太陽電池モジュールの枠体４２の高さを超える高さ位置まで起立する。顎部１０ｂは、脚部１０ａ の上端部に形成され、上端が外側規制面３より外側位置にあり、下端が外側規制面３より内側位置ある内方下がりの傾斜摺動面１０c を有する。
【００１８】
したがって、荷重受け部４上に太陽電池モジュールＰを載せ受ける過程で、枠体４２の外側下縁部４２ｂ が、弾性係合片１０の傾斜摺動面１０ｃに対して摺動しつつ、弾性係合片１０の脚部１０ａを外側へ撓ませ、枠体４２が顎部１０ｂを通過すると、顎部１０ｂが枠体４２の上縁４２ｃにスナップ係合する。
【００１９】
この結果、太陽電池モジュールＰは、荷重支持部４と顎部１０ｂとにより、上下に挟まれる。このため、コーナー支持部材1は、太陽電池モジュールＰを、それの積層体から取り出すときに、太陽電池モジュールＰから離脱することがなく、太陽電池モジュールＰと共に移動することができる。
【００２０】
図１，７に示すように、太陽電池モジュールＰを梱包する場合、図示しない適宜の架台上に、４つのコーナー支持部材1を、太陽電池モジュールＰの四隅に対応する位置に配置する。この場合、予め架台１上にコーナー支持部材1の位置決め部材を設ける、これに合わせてコーナー支持部材1を配置することができる。
【００２１】
架台上に置かれた４つのコーナー支持部材1の荷重受け部４上に、四隅を配置するように太陽電池モジュールＰを載せ置く。太陽電池モジュールＰの四隅の２つの外側面は、外側規制面３に当接してこれに対向し、それの水平方向の位置が規制される。太陽電池モジュールＰを押し下げると、弾性係合片１０が自動的に枠体４２の上縁４２ｃにスナップ係合し、太陽電池モジュールＰとコーナー支持部材1とが一体化する。
【００２２】
その上に他の太陽電池モジュールＰを積層する場合には、架台上に置かれた各コーナー支持部材1の上に、次段のコーナー支持部材１を重ね置く。次段のコーナー支持部材１は、底面７が下段のコーナー支持部材１の水平段部６上に載るから、下段の太陽電池モジュールＰには荷重がかからない。
【００２３】
下段のコーナー支持部材１の嵌合片８の上端面８ａに、次段のコーナー支持部材１の嵌合凹部９の上端面片９ａが接合する。接合する両面８ａ、９ａは、外下がりの傾斜面となっているから、上のコーナー支持部材１が、下のコーナー支持部材１に対して内方へずれ動くことがない。上のコーナー支持部材１の嵌合凹部９の外側面９ｂは、下のコーナー支持部材１の嵌合片８の内側面８ｂに当接しているので、上のコーナー支持部材１が、下のコーナー支持部材１に対して外方へずれ動くこともない。したがって、上のコーナー支持部材１上に、太陽電池モジュールＰを置くときに、太陽電池モジュールＰがコーナー支持部材１に接触しても、コーナー支持部材１が位置ずれを生じるおそれがない。
【００２４】
しかし、上層の太陽電池モジュールＰを下層の太陽電池モジュールＰから取り分ける際には、上層の太陽電池モジュールＰと一体に、それの四隅のコーナー支持部材１を、下層のコーナー支持部材１に対して上方へ容易に離脱させることができる。移動させる太陽電池モジュールＰには、コーナー支持部材１が付いてくるので、コーナー支持部材１を装着することなく、安全に保管することができる。
【符号の説明】
【００２５】
１    コーナー支持部材
２    積層柱
３    外側規制面
４    荷重受け部
５    内側規制部
５ａ  支持片
５ｂ  弾性舌片
６    水平段部
７    底面
８    嵌合片
８ａ  上端面
８ｂ  内側面
９    嵌合凹部
９ａ  上端傾斜面
９ｂ  外側面
１０  弾性係合片
１０ａ  脚部
１０ｂ  顎部
１０c   傾斜摺動面
Ｐ    太陽電池モジュール
４１  太陽電池モジュールの本体
４２  枠体
４２ａ  内側下縁部
【図１】
0005373849.tif 000002
【図２】
0005373849.tif 000003
【図３】
0005373849.tif 000004
【図４】
0005373849.tif 000005
【図５】
0005373849.tif 000006
【図６】
0005373849.tif 000007
【図７】
0005373849.tif 000008